(57)【特許請求の範囲】
【請求項１】
データ伝送方法であって、
複製データを搬送するための複数のロジックチャネルに基づいて、前記複製データを伝送するための複数のキャリア又はキャリアグループを決定し、前記複数のロジックチャネルのうちの少なくとも２つのロジックチャネルに対応する、前記複製データを伝送するためのキャリア又はキャリアグループは異なるステップと、
前記複数のキャリア又はキャリアグループを利用して、前記複数のロジックチャネルで搬送される前記複製データをそれぞれ伝送するステップと、を含み、
前記複数のロジックチャネルにおいて、異なるロジックチャネルは異なるメディアアクセス制御ＭＡＣエンティティに対応し、
前記複数のロジックチャネルのうちの少なくとも２つのロジックチャネルに対応する、前記複製データを伝送するためのキャリア又はキャリアグループが異なることは、前記複数のロジックチャネルに対応するＭＡＣエンティティにおいて、異なるＭＡＣエンティティが異なるキャリア又はキャリアグループに対応することを含むことを特徴とするデータ伝送方法。
【請求項２】
前記複製データを搬送するための複数のロジックチャネルに基づいて前記複製データを搬送するための複数のキャリア又はキャリアグループを決定することは、
前記複製データを搬送するための前記複数のロジックチャネル、及びロジックチャネルとＭＡＣエンティティとの対応関係に基づいて、前記複数のロジックチャネルに対応する複数のＭＡＣエンティティを決定することと、
前記複数のＭＡＣエンティティに対応する複数のキャリア又はキャリアグループを決定し、前記ロジックチャネルとＭＡＣエンティティとの対応関係はＲＲＣシグナリングによって設定されるものであることと、を含むことを特徴とする請求項１に記載の方法。
【請求項３】
前記した複製データを搬送するための複数のロジックチャネルに基づいて、前記複製データを伝送するための複数のキャリア又はキャリアグループを決定するステップは、
前記複数のロジックチャネルのうちの各ロジックチャネルに対応する指示情報に基づいて、前記複数のキャリア又はキャリアグループを決定するステップを含むことを特徴とする請求項１に記載の方法。
【請求項４】
前記各ロジックチャネルに対応する指示情報が、前記各ロジックチャネルに対応するロジックチャネル設定情報の指示フィールドに含まれることを特徴とする請求項３に記載の方法。
【請求項５】
前記各ロジックチャネルに対応するロジックチャネル設定情報は前記各ロジックチャネルの無線リソース制御ＲＲＣ情報ユニットであり、前記各ロジックチャネルのＲＲＣ情報ユニットは前記各ロジックチャネルのチャネルパラメータを設定することに用いられることを特徴とする請求項４に記載の方法。
【請求項６】
前記指示情報は、前記複数のロジックチャネルのうちの第１ロジックチャネルに対応する第１指示情報を含み、前記第１指示情報は、１つ又は１グループのキャリアのキャリア識別子ＩＤを指示することに用いられ、前記した前記複数のロジックチャネルのうちの各ロジックチャネルに対応する指示情報に基づいて、前記複数のキャリア又はキャリアグループを決定するステップは、
前記第１指示情報により指示される１つのキャリアのキャリアＩＤに対応する第１キャリア又は１グループのキャリアのキャリアＩＤに対応する第１キャリアグループを、前記第１ロジックチャネルで搬送される前記複製データを伝送するキャリア又はキャリアグループとして決定するステップを含み、
前記した前記複数のキャリア又はキャリアグループを利用して、前記複数のロジックチャネルで搬送される前記複製データをそれぞれ伝送するステップは、
前記第１キャリア、又は前記第１キャリアグループのうちの一部又は全部キャリアを利用して、前記第１ロジックチャネルで搬送される前記複製データを伝送するステップを含むことを特徴とする請求項３〜５のいずれか１項に記載の方法。
【請求項７】
前記指示情報は、前記複数のロジックチャネルのうちの第３ロジックチャネルに対応する第３指示情報を含み、前記第３指示情報は、前記第３ロジックチャネルで前記複製データが搬送されるか否かを指示することに用いられ、前記した前記複数のロジックチャネルのうちの各ロジックチャネルに対応する指示情報に基づいて、前記複数のキャリア又はキャリアグループを決定するステップは、
前記第３指示情報が、前記第３ロジックチャネルで前記複製データが搬送されると指示し、且つ第４ロジックチャネルに対応する第４指示情報が、前記第４ロジックチャネルで前記複製データが搬送されると指示する場合、前記第３ロジックチャネル及び前記第４ロジックチャネルで搬送される前記複製データがそれぞれ異なるキャリア又はキャリアグループに対応すると決定するステップを含み、
前記した前記複数のキャリア又はキャリアグループを利用して、前記複数のロジックチャネルで搬送される前記複製データをそれぞれ伝送するステップは、
前記異なるキャリア又はキャリアグループを利用して、前記第３ロジックチャネル及び前記第４ロジックチャネルで搬送される前記複製データをそれぞれ伝送するステップを含むことを特徴とする請求項３〜５のいずれか１項に記載の方法。
【請求項８】
前記した前記複数のロジックチャネルのうちの各ロジックチャネルに対応する指示情報に基づいて、前記複数のキャリア又はキャリアグループを決定する前に、前記方法は、
前記各ロジックチャネルのロジックチャネル設定情報に、前記指示情報を含む指示フィールドが存在することを決定するステップをさらに含むことを特徴とする請求項４〜７のいずれか１項に記載の方法。
【請求項９】
データ伝送装置であって、
複製データを搬送するための複数のロジックチャネルに基づいて、前記複製データを伝送するための複数のキャリア又はキャリアグループを決定することに用いられ、前記複数のロジックチャネルのうちの少なくとも２つのロジックチャネルに対応する、前記複製データを伝送するためのキャリア又はキャリアグループは異なる決定モジュールと、
前記複数のキャリア又はキャリアグループを利用して、前記複数のロジックチャネルで搬送される前記複製データをそれぞれ伝送することに用いられる通信モジュールと、を備え、
前記複数のロジックチャネルにおいて、異なるロジックチャネルは異なるメディアアクセス制御ＭＡＣエンティティに対応し、
前記複数のロジックチャネルのうちの少なくとも２つのロジックチャネルに対応する、前記複製データを伝送するためのキャリア又はキャリアグループが異なることは、前記複数のロジックチャネルに対応するＭＡＣエンティティにおいて、異なるＭＡＣエンティティが異なるキャリア又はキャリアグループに対応することを含むことを特徴とするデータ伝送装置。
【請求項１０】
前記決定モジュールは具体的に、
前記複製データを搬送するための前記複数のロジックチャネル、及びロジックチャネルとＭＡＣエンティティとの対応関係に基づいて、前記複数のロジックチャネルに対応する複数のＭＡＣエンティティを決定することと、
前記複数のＭＡＣエンティティに対応する複数のキャリア又はキャリアグループを決定し、前記ロジックチャネルとＭＡＣエンティティとの対応関係はＲＲＣシグナリングによって設定されるものであることとに用いられることを特徴とする請求項９に記載の装置。
【請求項１１】
前記決定モジュールは、具体的には、
前記複数のロジックチャネルのうちの各ロジックチャネルに対応する指示情報に基づいて、前記複数のキャリア又はキャリアグループを決定することに用いられることを特徴とする請求項９に記載の装置。
【請求項１２】
前記各ロジックチャネルに対応する指示情報が、前記各ロジックチャネルに対応するロジックチャネル設定情報の指示フィールドに含まれることを特徴とする請求項１１に記載の装置。
【請求項１３】
前記各ロジックチャネルに対応するロジックチャネル設定情報は前記各ロジックチャネルの無線リソース制御ＲＲＣ情報ユニットであり、前記各ロジックチャネルのＲＲＣ情報ユニットは前記各ロジックチャネルのチャネルパラメータを設定することに用いられることを特徴とする請求項１２に記載の装置。
【請求項１４】
前記指示情報は、前記複数のロジックチャネルのうちの第１ロジックチャネルに対応する第１指示情報を含み、前記決定モジュールは、具体的には、
前記第１指示情報により指示される１つのキャリアのキャリアＩＤに対応する第１キャリア又は１グループのキャリアのキャリアＩＤに対応する第１キャリアグループを、前記第１ロジックチャネルで搬送される前記複製データを伝送するキャリア又はキャリアグループとして決定することに用いられ、
前記通信モジュールは、具体的には、
前記第１キャリア、又は前記第１キャリアグループのうちの一部又は全部キャリアを利用して、前記第１ロジックチャネルで搬送される前記複製データを伝送することに用いられることを特徴とする請求項１１〜１３のいずれか１項に記載の装置。
【請求項１５】
前記決定モジュールは、具体的には、
前記各ロジックチャネルのロジックチャネル設定情報に、前記指示情報を含む指示フィールドが存在することを決定することに用いられることを特徴とする請求項１２〜１４のいずれか１項に記載の装置。
【請求項１６】
前記決定モジュールは、具体的には、
前記複数のロジックチャネル、及び第１対応関係に基づいて、複数の前記ＭＡＣエンティティを決定し、前記第１対応関係はロジックチャネルとＭＡＣエンティティとの対応関係であり、前記複数のロジックチャネルと複数のＭＡＣエンティティとは一対一に対応することと、
前記複数のＭＡＣエンティティ、及び第２対応関係に基づいて、前記複数のキャリア又はキャリアグループを決定し、前記第２対応関係はＭＡＣエンティティとキャリア又はキャリアグループとの対応関係であり、前記複数のＭＡＣエンティティと前記複数のキャリア又はキャリアグループとは一対一に対応することとに用いられることを特徴とする請求項１５に記載の装置。
【発明の詳細な説明】
【技術分野】
【０００１】
本願の実施例は通信分野に関し、具体的には、データ伝送方法及び装置に関する。
【背景技術】
【０００２】
キャリアアグリゲーション（Ｃａｒｒｉｅｒ  Ａｇｇｒｅｇａｔｉｏｎ）シナリオにおいて、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）のデータ複製（ｄｕｐｌｉｃａｔｉｏｎ）機能を利用して重複データを伝送することにより、データ伝送の信頼性を向上させることができる。具体的には、ＰＤＣＰ層は、先ずデータ複製を行って複数のプロトコルデータユニット（ＰＤＣＰ  Ｐｒｏｔｏｃｏｌ  Ｄａｔａ  Ｕｎｉｔ、ＰＤＵ）を取得し、該複数のＰＤＣＰ  ＰＤＵをそれぞれ異なる無線リンク制御（Ｒａｄｉｏ  Ｌｉｎｋ  Ｃｏｎｔｒｏｌ、ＲＬＣ）エンティティ（Ｅｎｔｉｔｙ）にマッピングし、ＲＬＣ層は異なるロジックチャネルで該複数のＰＤＣＰ  ＰＤＵを搬送することができる。しかしながら、メディアアクセス制御（Ｍｅｄｉａ  Ａｃｃｅｓｓ  Ｃｏｎｔｒｏｌ、ＭＡＣ）層にとって、どのロジックチャネルに伝送されるデータが同じであるかが知らないため、ＭＡＣ層は複製ＰＤＣＰ  ＰＤＵを搬送するロジックチャネルにおけるデータを効果的にスケジューリングすることができず、それにより周波数ダイバーシチ利得を取得することができない。
【発明の概要】
【発明が解決しようとする課題】
【０００３】
本願の実施例はデータ伝送方法及び装置を提供し、周波数ダイバーシチ利得を取得することができ、それによりデータ伝送の信頼性を向上させる。
【課題を解決するための手段】
【０００４】
第１態様では、データ伝送方法を提供し、複製データを搬送するための複数のロジックチャネルに基づいて、前記複製データを伝送するための複数のキャリア又はキャリアグループを決定し、前記複数のロジックチャネルのうちの少なくとも２つのロジックチャネルに対応する、前記複製データを伝送するためのキャリア又はキャリアグループは異なるステップと、前記複数のキャリア又はキャリアグループを利用して、前記複数のロジックチャネルで搬送される前記複製データをそれぞれ伝送するステップと、を含む。
【０００５】
従って、本願の実施例では、データ伝送装置は、複製データを搬送する複数のロジックチャネルに基づいて、複数のキャリア又はキャリアグループを決定することができ、前記複数のロジックチャネルのうちの少なくとも２つのロジックチャネルに対応する、前記複製データを伝送するためのキャリア又はキャリアグループは異なるので、少なくとも２つの異なるキャリア又はキャリアグループによって前記複製データを伝送することができ、それにより、周波数ダイバーシチ利得を取得することができ、さらに伝送信頼性を向上させることができる。
【０００６】
選択肢として、ロジックチャネルとキャリア又はキャリアグループとが対応関係を有することができ、それにより前記データ伝送装置は、前記複製データを搬送する複数のロジックチャネル、及び前記対応関係に基づいて、対応する複数のキャリア又はキャリアグループを決定することができる。選択肢として、前記対応関係はプロトコルによって約束されたものであってもよく、又は前記データ伝送装置が端末装置である場合、前記対応関係はネットワーク装置が上位層シグナリングによって前記端末装置に送信したものであってもよい。
【０００７】
第１態様に結合して、第１態様のいくつかの実現方式では、前記した複製データを搬送するための複数のロジックチャネルに基づいて、前記複製データを伝送するための複数のキャリア又はキャリアグループを決定するステップは、前記複数のロジックチャネルのうちの各ロジックチャネルに対応する指示情報に基づいて、前記複数のキャリア又はキャリアグループを決定するステップを含む。
【０００８】
第１態様に結合して、第１態様のいくつかの実現方式では、前記各ロジックチャネルに対応する指示情報が、前記各ロジックチャネルに対応するロジックチャネル設定情報の指示フィールドに含まれる。
【０００９】
選択肢として、各ロジックチャネルに対応するロジックチャネル設定情報に１つの指示フィールドを追加して前記指示情報を搬送してもよく、又は元の指示フィールドを多重化して前記指示情報を搬送してもよく、又は前記ロジックチャネル設定情報内の予約フィールドを利用して前記指示情報を搬送してもよい。
【００１０】
選択肢として、前記各ロジックチャネルに対応する指示情報は、前記各ロジックチャネルの他の属性情報に含まれてもよい。
【００１１】
第１態様に結合して、第１態様のいくつかの実現方式では、前記各ロジックチャネルに対応するロジックチャネル設定情報は前記各ロジックチャネルの無線リソース制御ＲＲＣ情報ユニットであり、前記各ロジックチャネルのＲＲＣ情報ユニットは前記各ロジックチャネルのチャネルパラメータを設定することに用いられる。
【００１２】
第１態様に結合して、第１態様のいくつかの実現方式では、前記指示情報は、前記複数のロジックチャネルのうちの第１ロジックチャネルに対応する第１指示情報を含み、前記第１指示情報は、１つ又は１グループのキャリアのキャリア識別子ＩＤを指示することに用いられ、前記した前記複数のロジックチャネルのうちの各ロジックチャネルに対応する指示情報に基づいて、前記複数のキャリア又はキャリアグループを決定するステップは、前記第１指示情報により指示される１つのキャリアのキャリアＩＤに対応する第１キャリア又は１グループのキャリアのキャリアＩＤに対応する第１キャリアグループを、前記第１ロジックチャネルで搬送される前記複製データを伝送するキャリア又はキャリアグループとして決定するステップを含み、前記した前記複数のキャリア又はキャリアグループを利用して、前記複数のロジックチャネルで搬送される前記複製データをそれぞれ伝送するステップは、前記第１キャリア、又は前記第１キャリアグループのうちの一部又は全部キャリアを利用して、前記第１ロジックチャネルで搬送される前記複製データを伝送するステップを含む。
【００１３】
選択肢として、本願の実施例では、前記複数のロジックチャネルのそれぞれに対応する指示情報はいずれも１つのキャリアのキャリアＩＤを指示してもよく、１グループのキャリアのキャリアＩＤを指示してもよく、又は一部のロジックチャネルに対応する指示情報は１つのキャリアのキャリアＩＤを指示し、他のロジックチャネルに対応する指示情報は１グループのキャリアのキャリアＩＤを指示する。この場合、前記複数のロジックチャネルのうちの少なくとも２つのロジックチャネルに対応する指示情報により指示されるキャリア又はキャリアグループが異なればよく、それにより、データ伝送装置は、前記複製データを異なるキャリア又はキャリアグループにスケジューリングして伝送することができる。
【００１４】
第１態様に結合して、第１態様のいくつかの実現方式では、前記指示情報は、前記複数のロジックチャネルのうちの第２ロジックチャネルに対応する第２指示情報を含み、前記第２指示情報は、前記複数のロジックチャネルのうち前記第２ロジックチャネル以外の他のロジックチャネルの識別子情報であり、前記した前記複数のロジックチャネルのうちの各ロジックチャネルに対応する指示情報に基づいて、前記複数のキャリア又はキャリアグループを決定するステップは、前記第２指示情報に基づいて、前記第２ロジックチャネル及び前記他のロジックチャネルで搬送される前記複製データがそれぞれ異なるキャリア又はキャリアグループに対応することを決定するステップを含み、前記した前記複数のキャリア又はキャリアグループを利用して、前記複数のロジックチャネルで搬送される前記複製データをそれぞれ伝送するステップは、前記異なるキャリア又はキャリアグループを利用して、前記第２ロジックチャネル及び前記他のロジックチャネルで搬送される前記複製データをそれぞれ伝送するステップを含む。
【００１５】
つまり、各ロジックチャネルに対応する指示情報は、前記各ロジックチャネルで搬送される複製データを伝送するためのキャリア又はキャリアグループを直接指示してもよく、それにより、データ伝送装置は、直接各ロジックチャネルの指示情報により指示されるキャリア又はキャリアグループに基づいて、前記各ロジックチャネルで搬送される複製データをスケジューリングすることができる。又は前記各ロジックチャネルに対応する指示情報は、前記各ロジックチャネルとともに複製データを伝送するロジックチャネルの識別子情報を指示してもよく、それにより、データ伝送装置は、ＭＡＣ層において前記各ロジックチャネルで搬送される複製データをどの異なるキャリア又はキャリアグループにスケジューリングして伝送するかを決定することができる。
【００１６】
第１態様に結合して、第１態様のいくつかの実現方式では、前記指示情報は、前記複数のロジックチャネルのうちの第３ロジックチャネルに対応する第３指示情報を含み、前記第３指示情報は、前記第３ロジックチャネルで前記複製データが搬送されるか否かを指示することに用いられ、前記した前記複数のロジックチャネルのうちの各ロジックチャネルに対応する指示情報に基づいて、前記複数のキャリア又はキャリアグループを決定するステップは、前記第３指示情報が、前記複製データが搬送されると指示し、且つ第４ロジックチャネルに対応する第４指示情報が、前記複製データが搬送されると指示する場合、前記第３ロジックチャネル及び前記第４ロジックチャネルで搬送される前記複製データがそれぞれ異なるキャリア又はキャリアグループに対応すると決定するステップを含み、前記した前記複数のキャリア又はキャリアグループを利用して、前記複数のロジックチャネルで搬送される前記複製データをそれぞれ伝送するステップは、前記異なるキャリア又はキャリアグループを利用して、前記第３ロジックチャネル及び前記第４ロジックチャネルで搬送される前記複製データをそれぞれ伝送するステップを含む。
【００１７】
第１態様に結合して、第１態様のいくつかの実現方式では、前記した前記複数のロジックチャネルのうちの各ロジックチャネルに対応する指示情報に基づいて、前記複数のキャリア又はキャリアグループを決定する前に、前記方法は、前記各ロジックチャネルのロジックチャネル設定情報に、前記指示情報を含む指示フィールドが存在することを決定するステップをさらに含む。
【００１８】
第１態様に結合して、第１態様のいくつかの実現方式では、前記した複製データを搬送するための複数のロジックチャネルに基づいて、前記複製データを伝送するための複数のキャリア又はキャリアグループを決定するステップは、前記複数のロジックチャネル、及び第１対応関係に基づいて、複数のメディアアクセス制御ＭＡＣエンティティを決定し、前記第１対応関係はロジックチャネルとＭＡＣエンティティとの対応関係であり、前記複数のロジックチャネルと前記複数のＭＡＣエンティティとは一対一に対応するステップと、前記複数のＭＡＣエンティティ、及び第２対応関係に基づいて、前記複数のキャリア又はキャリアグループを決定し、前記第２対応関係はＭＡＣエンティティとキャリア又はキャリアグループとの対応関係であり、前記複数のＭＡＣエンティティと前記複数のキャリア又はキャリアグループとは一対一に対応するステップと、を含む。
【００１９】
選択肢として、前記第１対応関係は一対一の対応関係であってもよく、即ち、ロジックチャネルとＭＡＣエンティティとは一対一に対応し、従って、前記データ伝送装置は前記複数のロジックチャネル、及び前記第１対応関係に基づいて、複数のＭＡＣエンティティを決定することができる。
【００２０】
選択肢として、前記第２対応関係は一対一の対応関係であってもよく、一対多の対応関係であってもよく、即ち、１つのＭＡＣエンティティは１つのキャリア又はキャリアグループに対応してもよく、又は１つのＭＡＣエンティティは複数のキャリア又はキャリアグループに対応してもよい。それにより、前記データ伝送装置は前記複数のＭＡＣエンティティ、及び第２対応関係に基づいて、複数のキャリア又はキャリアグループを決定することができ、そのあと、前記データ伝送装置は前記複数のキャリア又はキャリアグループによって、前記複数のロジックチャネルで搬送される複製データを伝送することができる。
【００２１】
第１態様に結合して、第１態様のいくつかの実現方式では、前記第１対応関係は上位層シグナリングによって事前設定される。
【００２２】
選択肢として、前記データ伝送装置が端末装置である場合、前記第１対応関係はネットワーク装置が上位層シグナリングによって前記端末装置のために事前設定されたものであってもよく、又は前記第１対応関係は端末装置とネットワーク装置とが約束したものであってもよく、又は、前記第１対応関係はプロトコルによって規定されたものであってもよい。前記データ伝送装置がネットワーク装置である場合、前記第１対応関係は前記ネットワーク装置が事前設定したものであってもよく、又は前記ネットワーク装置と前記端末装置とが約束したものであってもよく、又は、前記第１対応関係はプロトコルによって規定されたものであってもよい。
【００２３】
第１態様に結合して、第１態様のいくつかの実現方式では、前記複製データは、パケットデータコンバージェンスプロトコルＰＤＣＰスプリットベアラによる同一のＰＤＣＰプロトコルデータユニットＰＤＵの複製データである。
【００２４】
第１態様に結合して、第１態様のいくつかの実現方式では、前記複製データが前記複数のロジックチャネルによって搬送されるのは上位層シグナリングによって事前設定される。
【００２５】
つまり、どのロジックチャネルによって複製データを伝送するかを上位層シグナリングによって事前設定することができ、これらのロジックチャネルにデータ伝送がある場合、これらのロジックチャネルに伝送されるデータは複製データであると見なすことができ、選択肢として、前記上位層シグナリングはＲＲＣシグナリングである。
【００２６】
第１態様に結合して、第１態様のいくつかの実現方式では、前記上位層シグナリングは無線リソース制御ＲＲＣシグナリングである。
【００２７】
第２態様では、第１態様又はその様々な実現方式の方法を実行するためのユニットを備えるデータ伝送装置を提供する。
【００２８】
第３態様では、データ伝送装置を提供し、メモリ、プロセッサ及び送受信機を備え、前記メモリはプログラムを記憶することに用いられ、前記プロセッサはプログラムを実行することに用いられ、前記プログラムが実行されるとき、前記プロセッサは前記送受信機に基づいて第１態様の方法を実行する。
【００２９】
第４態様では、コンピュータ可読媒体を提供し、前記コンピュータ可読媒体は端末装置が実行するためのプログラムコードを記憶し、前記プログラムコードは第１態様の方法を実行するための命令を含む。
【発明の効果】
【００３０】
本願の実施例はデータ伝送方法及び装置を提供し、周波数ダイバーシチ利得を取得することができ、それによりデータ伝送の信頼性を向上させる。
【図面の簡単な説明】
【００３１】
【図１】図１は本願の実施例に係る無線通信システムの模式図である。
【図２】図２は本願の実施例に係るデータ伝送方法の概略フローチャートである。
【図３】図３は本願の実施例に係るデータ伝送方法の一例の模式図である。
【図４】図４は本願の実施例に係るデータ伝送装置の概略ブロック図である。
【図５】図５は本願の他の実施例に係るデータ伝送装置の概略ブロック図である。
【発明を実施するための形態】
【００３２】
以下、本願の実施例の図面を参照しながら、本願の実施例の技術案を説明する。
【００３３】
本願の実施例の技術案は、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、汎用移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は未来の５Ｇシステム等の様々な通信システムに適用できる。
【００３４】
図１は本願の実施例に適用される無線通信システム１００を示す。該無線通信システム１００はネットワーク装置１１０を備えてもよい。ネットワーク装置１００は端末装置と通信する装置である。ネットワーク装置１００は特定の地理的領域のために通信カバレッジを提供し、且つ該カバレッジ領域内に位置する端末装置（例えばＵＥ）と通信することができる。選択肢として、該ネットワーク装置１００は、ＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は該ネットワーク装置は、中継局、アクセスポイント、車載装置、ウェアラブル装置、未来５Ｇネットワークにおけるネットワーク側装置又は未来進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【００３５】
該無線通信システム１００はネットワーク装置１１０のカバレッジ領域内に位置する少なくとも１つの端末装置１２０をさらに備えてもよい。端末装置１２０は移動式又は固定式のものであってもよい。選択肢として、端末装置１２０は、アクセス端末、ユーザー装置（Ｕｓｅｒ  Ｅｑｕｉｐｍｅｎｔ、ＵＥ）、ユーザーユニット、加入者局、移動局、モバイルステーション、遠隔局、遠隔端末、移動装置、ユーザー端末、端末、無線通信装置、ユーザーエージェント又はユーザー装置であってもよい。アクセス端末は、セルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続される他の処理装置、車載装置、ウェアラブル装置、未来５Ｇネットワークにおける端末装置又は未来進化型ＰＬＭＮにおける端末装置等であってもよい。
【００３６】
選択肢として、５Ｇシステム又はネットワークは新無線（Ｎｅｗ  Ｒａｄｉｏ、ＮＲ）システム又はネットワークとも呼称される。
【００３７】
図１は１つのネットワーク装置及び２つの端末装置を例示的に示し、選択肢として、該無線通信システム１００は複数のネットワーク装置を備えてもよく、且つ各ネットワーク装置のカバレッジ領域内に他の数の端末装置が備えられてもよく、本願の実施例はこれを限定しない。
【００３８】
選択肢として、該無線通信システム１００はネットワークコントローラ、移動管理エンティティ等の他のネットワークエンティティをさらに備えてもよく、本願の実施例はこれを限定しない。
【００３９】
理解すべきなのは、本明細書の用語「システム」及び「ネットワーク」は本明細書では互換的に使用される。本明細書の用語「及び／又は」は、関連対象の関連関係を説明するためのものに過ぎず、３つの関係が存在していることを示し、例えば、Ａ及び／又はＢは、Ａが単独で存在すること、Ａ及びＢが同時に存在すること、Ｂが単独で存在することの３つの状況を示す。また、本明細書の文字「／」は、一般的に前後の関連対象が「又は」の関係を持つことを示す。
【００４０】
従来技術において、伝送信頼性を提供するために、ＰＤＣＰ層はデータを複製することができ、具体的には、ＰＤＣＰ層のＰＤＣＰスプリットベアラ（ｓｐｌｉｔ  ｂｅａｒｅｒ）複製機能（Ｄｕｐｌｉｃａｔｉｏｎ  Ｆｕｎｃｔｉｏｎ）によってＰＤＣＰサービスデータユニット（Ｓｅｒｖｉｃｅ  Ｄａｔａ  Ｕｎｉｔ、ＳＤＵ）を複製して、複数のＰＤＣＰ  ＰＤＵを得ることができ、該複数のＰＤＣＰ  ＰＤＵは同じペイロード（ｐａｙｌｏａｄ）及び同じヘッダ（ｈｅａｄｅｒ）を有し、各ＰＤＣＰ  ＰＤＵはいずれも複製データと呼称される。前記複数のＰＤＣＰ  ＰＤＵを複数のロジックチャネルで搬送できるが、ＭＡＣ層は前記複数のロジックチャネルによって伝送されるデータが複製データ、即ち、同一のデータであることを知らないため、データのスケジューリングを行う時、ＭＡＣ層は前記複数のロジックチャネルにおけるデータを異なるキャリアにスケジューリングして伝送しないため、周波数ダイバーシチ利得を取得することができない。
【００４１】
これに鑑みて、本願の実施例はデータ伝送方法を提供し、複数のロジックチャネルによって伝送される複製データを少なくとも２つの異なるキャリアにスケジューリングして伝送することができ、それにより、周波数ダイバーシチ利得を取得することができ、さらにデータ伝送の信頼性を向上させる。
【００４２】
図２は本願の実施例に係るデータ伝送方法２００の概略フローチャートである。前記方法２００は、図１に記載の通信システム１００における端末装置１２０又はネットワーク装置１１０により実行される。図２に示すように、該方法２００は、以下のＳ２１０とＳ２２０を含む。
【００４３】
Ｓ２１０、複製データを搬送するための複数のロジックチャネルに基づいて、前記複製データを伝送するための複数のキャリア又はキャリアグループを決定し、前記複数のロジックチャネルのうちの少なくとも２つのロジックチャネルに対応する、前記複製データを伝送するためのキャリア又はキャリアグループは異なる。
【００４４】
Ｓ２２０、前記複数のキャリア又はキャリアグループを利用して、前記複数のロジックチャネルで搬送される前記複製データをそれぞれ伝送する。
【００４５】
以下、データ伝送装置を実行主体として本願の実施例の方法２００を説明し、前記データ伝送装置は端末装置であってもよく、ネットワーク装置であってもよい。
【００４６】
従って、本願の実施例では、データ伝送装置は、複製データを搬送する複数のロジックチャネルに基づいて、複数のキャリア又はキャリアグループを決定することができ、前記複数のロジックチャネルのうちの少なくとも２つのロジックチャネルに対応する、前記複製データを伝送するためのキャリア又はキャリアグループは異なるので、少なくとも２つの異なるキャリア又はキャリアグループによって前記複製データを伝送することができ、それにより、周波数ダイバーシチ利得を取得することができ、さらに伝送信頼性を向上させることができる。
【００４７】
具体的には、前記データ伝送装置はＰＤＣＰ層において複数の複製データを生成することができ、前記複数の複製データは同じであり、前記複数の複製データは複数のロジックチャネルによって伝送することができ、即ち、各ロジックチャネルは１つの複製データを搬送することができる。前記データ伝送装置は前記複数のロジックチャネルに基づいて、複数のキャリア又はキャリアグループを決定することができる。可能な一実現方式では、ロジックチャネルとキャリア又はキャリアグループとが対応関係を有することができ、それにより前記データ伝送装置は、前記複製データを搬送する複数のロジックチャネル、及び前記対応関係に基づいて、対応する複数のキャリア又はキャリアグループを決定することができる。選択肢として、前記対応関係はプロトコルによって約束されたものであってもよく、又は前記データ伝送装置が端末装置である場合、前記対応関係はネットワーク装置が上位層シグナリングによって前記端末装置に送信したものであってもよく、選択肢として、前記上位層シグナリングは無線リソース制御（Ｒａｄｉｏ  Ｒｅｓｏｕｒｃｅ  Ｃｏｎｔｒｏｌ、ＲＲＣ）シグナリングであってもよい。
【００４８】
選択肢として、いくつかの実施例では、ロジックチャネルはＭＡＣエンティティと対応関係を有することができ、例えば、異なるロジックチャネルは異なるＭＡＣエンティティに対応でき、異なるＭＡＣエンティティは異なる物理層キャリア又はキャリアグループに対応でき、それにより、前記データ伝送装置は、前記複製データを搬送する前記複数のロジックチャネル、及びロジックチャネルとＭＡＣエンティティとの対応関係に基づいて、前記複数のロジックチャネルに対応する複数のＭＡＣエンティティを決定することができ、さらに前記複数のＭＡＣエンティティに対応する複数のキャリア又はキャリアグループを決定することができる。異なるＭＡＣエンティティに対応するキャリア又はキャリアグループは異なるので、前記複数のキャリア又はキャリアグループも異なる。選択肢として、前記ロジックチャネルとＭＡＣエンティティとの対応関係はプロトコルによって約束されたものであってもよく、又は前記データ伝送装置が端末装置である場合、前記対応関係はネットワーク装置が上位層シグナリングによって前記端末装置のために設定するものであってもよく、選択肢として、前記上位層シグナリングはＲＲＣシグナリングであってもよい。
【００４９】
選択肢として、前記データ伝送装置はさらに、前記複数のロジックチャネルに対応する指示情報に基づいて、複数のキャリア又はキャリアグループを決定することができ、例えば、前記指示情報は、対応するロジックチャネルにおける複製データを伝送するためのキャリア又はキャリアグループの識別子（Ｉｄｅｎｔｉｔｙ、ＩＤ）を直接指示することができ、従って、データ伝送装置は、ＭＡＣ層において各ロジックチャネルにおける複製データを取得した後、前記各ロジックチャネルに対応する指示情報に基づいて、各指示情報により指示されるキャリア又はキャリアグループのＩＤを決定することができる。選択肢として、前記複数のロジックチャネルのうちの第１ロジックチャネルに対応する指示情報はさらに、前記複数のロジックチャネルのうちの前記第１ロジックチャネル以外の他のロジックチャネルの識別子情報を指示することができ、それにより、データ伝送装置は、前記第１ロジックチャネルに対応する指示情報に基づいて、前記第１ロジックチャネルとともに複製データを伝送する他のロジックチャネルを決定することができ、それで、前記データ伝送装置は、ＭＡＣ層においてデータをスケジューリングする時、前記第１ロジックチャネル及び前記他のロジックチャネルで搬送される複製データを異なるキャリア又はキャリアグループにスケジューリングして伝送することができ、それにより周波数ダイバーシチ利得を取得することができ、さらに伝送信頼性を向上させる。
【００５０】
選択肢として、いくつかの実施例では、前記した複製データを搬送するための複数のロジックチャネルに基づいて、前記複製データを伝送するための複数のキャリア又はキャリアグループを決定するステップは、
前記複数のロジックチャネルのうちの各ロジックチャネルに対応する指示情報に基づいて、前記複数のキャリア又はキャリアグループを決定するステップを含む。
【００５１】
具体的には、複製データを搬送するための複数のロジックチャネルはいずれも対応する指示情報に対応してもよく、前記データ伝送装置は、前記指示情報に基づいて、前記複数のロジックチャネルで搬送される複製データを伝送するための複数のキャリア又はキャリアグループを決定することができる。選択肢として、前記各ロジックチャネルに対応する指示情報は、前記各ロジックチャネルに対応するロジックチャネル設定（ＬｏｇｉｃａｌＣｈａｎｎｅｌＣｏｎｆｉｇ）情報に含まれてもよく、具体的には、前記各ロジックチャネルに対応するロジックチャネル設定情報は、前記各ロジックチャネルのＲＲＣ情報ユニット（ＲＲＣ  Ｉｎｆｏｒｍａｔｉｏｎ  Ｅｌｅｍｅｎｔ）であってもよく、前記ＲＲＣ情報ユニットは、前記各ロジックチャネルのチャネルパラメータ、例えば、ロジックチャネルのスケジューリング優先順位、属するロジックチャネルグループ等の情報を設定することに用いられる。
【００５２】
選択肢として、各ロジックチャネルに対応するロジックチャネル設定情報に１つの指示フィールドを追加して前記指示情報を搬送してもよく、又は元の指示フィールドを多重化して前記指示情報を搬送してもよく、又は前記ロジックチャネル設定情報内の予約フィールドを利用して前記指示情報を搬送してもよい。選択肢として、前記各ロジックチャネルに対応する指示情報は、前記各ロジックチャネルの他の属性情報に含まれてもよく、本願の実施例はこれを限定しない。
【００５３】
選択肢として、一実施例として、前記指示情報は、前記複数のロジックチャネルのうちの第１ロジックチャネルに対応する第１指示情報を含み、前記第１指示情報は、１つ又は１グループのキャリアのキャリア識別子ＩＤを指示することに用いられ、前記した前記複数のロジックチャネルのうちの各ロジックチャネルに対応する指示情報に基づいて、前記複数のキャリア又はキャリアグループを決定するステップは、
前記第１指示情報により指示される１つのキャリアのキャリアＩＤに対応する第１キャリア又は１グループのキャリアのキャリアＩＤに対応する第１キャリアグループを、前記第１ロジックチャネルで搬送される前記複製データを伝送するキャリア又はキャリアグループとして決定するステップを含む。
【００５４】
前記した前記複数のキャリア又はキャリアグループを利用して、前記複数のロジックチャネルで搬送される前記複製データをそれぞれ伝送するステップは、
前記第１キャリア、又は前記第１キャリアグループのうちの一部又は全部キャリアを利用して、前記第１ロジックチャネルで搬送される前記複製データを伝送するステップを含む。
【００５５】
具体的には、各ロジックチャネルの指示情報は、前記各ロジックチャネルで搬送される複製データを伝送するためのキャリア又はキャリアグループのＩＤを指示することができ、例えば、前記複数のロジックチャネルは第１ロジックチャネルを含み、区別や説明を簡単にするために、前記第１ロジックチャネルに対応する指示情報を第１指示情報と記し、前記第１指示情報は１つ又は１グループのキャリアのキャリアＩＤを指示することができ、つまり、前記第１指示情報は１つ又は複数のキャリアのキャリアＩＤを指示し、前記１つ又は１グループのキャリアのキャリアＩＤに対応するキャリア又はキャリアグループは前記第１ロジックチャネルで搬送される複製データを伝送することができる。つまり、前記各ロジックチャネルに対応する指示情報によって、前記各ロジックチャネルで搬送される複製データを伝送するためのキャリア又はキャリアグループを指示することができ、従って、前記複数のロジックチャネルのうちの少なくとも２つのロジックチャネルに対応する、前記複製データを伝送するためのキャリア又はキャリアグループを異なるように、即ち、少なくとも２つのロジックチャネルに対応する指示情報により指示されるキャリア又はキャリアグループを異なるように設定することによって、データ伝送装置は、前記複数のロジックチャネルで搬送される複製データを少なくとも２つの異なるキャリア又はキャリアグループにスケジューリングして伝送することができる。例えば、前記複数のロジックチャネルは、それぞれ指示情報１及び指示情報２に対応するロジックチャネル１及びロジックチャネル２を含み、前記指示情報１はキャリア１に対応するキャリアＩＤ１を指示し、前記指示情報２はキャリア２に対応するキャリアＩＤ２を指示し、それにより、ロジックチャネル１及びロジックチャネル２で搬送される複製データをそれぞれキャリア１及びキャリア２によって伝送することができ、従って、データ伝送装置は異なるキャリアによって複製データを伝送し、それにより周波数ダイバーシチ利得を取得することができ、さらにデータ伝送の信頼性を向上させる。
【００５６】
従って、前記データ伝送装置は、前記各ロジックチャネルに対応する指示情報に基づいて、各ロジックチャネルで搬送される複製データを伝送するためのキャリア又はキャリアグループを決定することができ、それにより、前記各ロジックチャネルに対応する、前記複製データを伝送するためのキャリア又はキャリアグループに、前記各ロジックチャネルで搬送される複製データを伝送することができる。具体的には、前記複数のロジックチャネルが第１ロジックチャネルを含み、前記第１ロジックチャネルに対応する第１指示情報が１つのキャリアのキャリアＩＤを指示する場合、前記データ伝送装置は、前記第１指示情報により指示されるキャリアＩＤに対応するキャリアを利用して、前記第１ロジックチャネルで搬送される複製データを伝送することができ、又は前記第１指示情報が１グループのキャリアのキャリアＩＤを指示する場合、前記データ伝送装置は、前記１グループのキャリアのキャリアＩＤに対応する第１キャリアグループのうちの一部又は全部キャリアを利用して、前記第１ロジックチャネルで搬送される複製データを伝送することができる。理解すべきなのは、本願の実施例では、１グループのキャリアのキャリアＩＤは、１つのキャリアグループのグループＩＤであってもよく、又は複数のキャリアのキャリアＩＤであってもよく、本願の実施例はこれを限定しない。
【００５７】
理解すべきなのは、本願の実施例では、前記複数のロジックチャネルのそれぞれに対応する指示情報はいずれも１つのキャリアのキャリアＩＤを指示してもよく、１グループのキャリアのキャリアＩＤを指示してもよく、又は一部のロジックチャネルに対応する指示情報は１つのキャリアのキャリアＩＤを指示し、他のロジックチャネルに対応する指示情報は１グループのキャリアのキャリアＩＤを指示する。この場合、前記複数のロジックチャネルのうちの少なくとも２つのロジックチャネルに対応する指示情報により指示されるキャリア又はキャリアグループが異なればよく、それにより、データ伝送装置は、前記複製データを異なるキャリア又はキャリアグループにスケジューリングして伝送することができる。
【００５８】
選択肢として、いくつかの実施例では、前記指示情報は、前記複数のロジックチャネルのうちの第２ロジックチャネルに対応する第２指示情報を含み、前記第２指示情報は、前記複数のロジックチャネルのうち前記第２ロジックチャネル以外の他のロジックチャネルの識別子情報であり、前記した前記複数のロジックチャネルのうちの各ロジックチャネルに対応する指示情報に基づいて、前記複数のキャリア又はキャリアグループを決定するステップは、
前記第２指示情報に基づいて、前記第２ロジックチャネル及び前記他のロジックチャネルで搬送される前記複製データがそれぞれ異なるキャリア又はキャリアグループに対応することを決定するステップを含む。
【００５９】
前記した前記複数のキャリア又はキャリアグループを利用して、前記複数のロジックチャネルで搬送される前記複製データをそれぞれ伝送するステップは、
前記異なるキャリア又はキャリアグループを利用して、前記第２ロジックチャネル及び前記他のロジックチャネルで搬送される前記複製データをそれぞれ伝送するステップを含む。
【００６０】
具体的には、前記複数のロジックチャネルは第２ロジックチャネルを含んでもよく、区別や説明を簡単にするために、前記第２ロジックチャネルに対応する指示情報を第２指示情報と記し、前記第２指示情報は前記複数のロジックチャネルのうち前記第２ロジックチャネル以外の他のロジックチャネルの識別子情報を指示することができ、従って、前記データ伝送装置は、前記第２指示情報に基づいて、どのロジックチャネルに複製データを伝送したかを決定することができ、それにより、ＭＡＣ層においてこれらのロジックチャネルで搬送される複製データを異なるキャリアにスケジューリングして伝送することができ、従って、周波数ダイバーシチ利得を取得することができ、さらにデータ伝送の信頼性を向上させる。例えば、前記複数のロジックチャネルは、それぞれロジックチャネル識別子ＬＣ１及びＬＣ２に対応するロジックチャネル１及びロジックチャネル２を含み、ロジックチャネル１に対応する指示情報はＬＣ２を指示することができ、ロジックチャネル２に対応する指示情報はＬＣ１を指示することができ、それにより、データ伝送装置は、この２つのロジックチャネルが複製データを伝送するためのものであることを知ることができ、さらにこの２つのロジックチャネルにおける複製データを異なるキャリアにスケジューリングして伝送することができ、従って、周波数ダイバーシチ利得を取得することができ、さらに伝送信頼性を向上させる。
【００６１】
つまり、各ロジックチャネルに対応する指示情報は、前記各ロジックチャネルで搬送される複製データを伝送するためのキャリア又はキャリアグループを直接指示してもよく、それにより、データ伝送装置は、直接各ロジックチャネルの指示情報により指示されるキャリア又はキャリアグループに基づいて、前記各ロジックチャネルで搬送される複製データをスケジューリングすることができる。又は前記各ロジックチャネルに対応する指示情報は、前記各ロジックチャネルとともに複製データを伝送するロジックチャネルの識別子情報を指示してもよく、それにより、データ伝送装置は、ＭＡＣ層において前記各ロジックチャネルで搬送される複製データをどの異なるキャリア又はキャリアグループにスケジューリングして伝送するかを決定することができる。
【００６２】
選択肢として、いくつかの実施例では、前記指示情報は、前記複数のロジックチャネルのうちの第３ロジックチャネルに対応する第３指示情報を含み、前記第３指示情報は、前記第３ロジックチャネルで前記複製データが搬送されるか否かを指示することに用いられ、前記した前記複数のロジックチャネルのうちの各ロジックチャネルに対応する指示情報に基づいて、前記複数のキャリア又はキャリアグループを決定するステップは、
前記第３指示情報が、前記複製データが搬送されると指示し、且つ第４ロジックチャネルに対応する第４指示情報が、前記複製データが搬送されると指示する場合、前記第３ロジックチャネル及び前記第４ロジックチャネルで搬送される前記複製データがそれぞれ異なるキャリア又はキャリアグループに対応すると決定するステップを含む。
【００６３】
前記した前記複数のキャリア又はキャリアグループを利用して、前記複数のロジックチャネルで搬送される前記複製データをそれぞれ伝送するステップは、
前記異なるキャリア又はキャリアグループを利用して、前記第３ロジックチャネル及び前記第４ロジックチャネルで搬送される前記複製データをそれぞれ伝送するステップを含む。
【００６４】
具体的には、前記複数のロジックチャネルは第３ロジックチャネルを含んでもよく、区別や説明を簡単にするために、前記第３ロジックチャネルに対応する指示情報を第３指示情報と記し、前記第３指示情報は前記第３ロジックチャネルで前記複製データが搬送されるか否かを指示することができ、第４ロジックチャネルに対応する指示情報は前記第４ロジックチャネルで前記複製データが搬送されるか否かを指示することもでき、前記データ伝送装置は、第３指示情報が、複製データが搬送されると指示するとともに、第４ロジックチャネルに対応する指示情報が、複製データが搬送されると指示することを決定した場合、前記データ伝送装置は、前記第３ロジックチャネル及び前記第４ロジックチャネルで搬送される複製データを異なるキャリアにスケジューリングして伝送することができ、従って、周波数ダイバーシチ利得を取得することができ、さらに伝送信頼性を向上させる。
【００６５】
選択肢として、いくつかの実施例では、前記した前記複数のロジックチャネルのうちの各ロジックチャネルに対応する指示情報に基づいて、前記複数のキャリア又はキャリアグループを決定する前に、前記方法は、
前記各ロジックチャネルのロジックチャネル設定情報に、前記指示情報を含む指示フィールドが存在することを決定するステップをさらに含む。
【００６６】
具体的には、ＭＡＣ層において、前記データ伝送装置は、先ず前記各ロジックチャネルに対応するロジックチャネル設定情報に、前記指示情報を搬送するための指示フィールドが存在するか否かを決定することができ、前記指示フィールドが存在する場合、前記データ伝送装置は、上記実施例に説明された方法に基づいて、前記複数のロジックチャネルで搬送される複製データを異なるキャリア又はキャリアグループにスケジューリングして伝送することができ、そうでない場合は、前記データ伝送装置は従来技術のスケジューリング方法に応じて、前記複数のロジックチャネルで搬送されるデータをスケジューリングすることができる。
【００６７】
選択肢として、いくつかの実施例では、前記した複製データを搬送するための複数のロジックチャネルに基づいて、前記複製データを伝送するための複数のキャリア又はキャリアグループを決定するステップは、
前記複数のロジックチャネル、及び第１対応関係に基づいて、複数のメディアアクセス制御ＭＡＣエンティティを決定し、前記第１対応関係はロジックチャネルとＭＡＣエンティティとの対応関係であり、前記複数のロジックチャネルと前記複数のＭＡＣエンティティとは一対一に対応するステップと、
前記複数のＭＡＣエンティティ、及び第２対応関係に基づいて、前記複数のキャリア又はキャリアグループを決定し、前記第２対応関係はＭＡＣエンティティとキャリア又はキャリアグループとの対応関係であり、前記複数のＭＡＣエンティティと前記複数のキャリア又はキャリアグループとは一対一に対応するステップと、を含む。
【００６８】
具体的には、ロジックチャネルとＭＡＣエンティティとは第１対応関係を有することができ、前記第１対応関係は一対一の対応関係であってもよく、即ち、ロジックチャネルとＭＡＣエンティティとは一対一に対応し、従って、前記データ伝送装置は前記複数のロジックチャネル、及び前記第１対応関係に基づいて、複数のＭＡＣエンティティを決定することができ、異なるＭＡＣエンティティは異なるキャリア又はキャリアグループに対応し、即ち、ＭＡＣエンティティとキャリア又はキャリアグループとは第２対応関係を有することができ、前記第２対応関係は一対一の対応関係であってもよく、一対多の対応関係であってもよく、即ち、１つのＭＡＣエンティティは１つのキャリア又はキャリアグループに対応してもよく、又は１つのＭＡＣエンティティは複数のキャリア又はキャリアグループに対応してもよい。それにより、前記データ伝送装置は前記複数のＭＡＣエンティティ、及び第２対応関係に基づいて、複数のキャリア又はキャリアグループを決定することができ、そのあと、前記データ伝送装置は前記複数のキャリア又はキャリアグループによって、前記複数のロジックチャネルで搬送される複製データを伝送することができる。
【００６９】
選択肢として、いくつかの実施例では、前記第１対応関係は上位層シグナリングによって事前設定される。
【００７０】
具体的には、前記データ伝送装置が端末装置である場合、前記第１対応関係はネットワーク装置が上位層シグナリングによって前記端末装置のために事前設定されたものであってもよく、又は前記第１対応関係は端末装置とネットワーク装置とが約束したものであってもよく、又は、前記第１対応関係はプロトコルによって規定されたものであってもよい。前記データ伝送装置がネットワーク装置である場合、前記第１対応関係は前記ネットワーク装置が事前設定したものであってもよく、又は前記ネットワーク装置と前記端末装置とが約束したものであってもよく、又は、前記第１対応関係はプロトコルによって規定されたものであってもよい。
【００７１】
選択肢として、本願の実施例では、前記複製データは、パケットデータコンバージェンスプロトコルＰＤＣＰスプリットベアラによる同一のＰＤＣＰプロトコルデータユニットＰＤＵの複製データである。
【００７２】
つまり、前記複製データは、ＰＤＣＰスプリットベアラによって同一のＰＤＣＰ  ＰＤＵを複数複製したものであり、いずれも複製データと呼称され、各複製されたＰＤＣＰ  ＰＤＵは同じ内容を有し、即ち、同じｐａｙｌｏａｄ及びｈｅａｄｅｒを有し、ＲＬＣ層において、前記複数の複製データを複数のロジックチャネルにマッピングし、つまり、複数のロジックチャネルによってそれぞれ前記複数の複製データを伝送する。
【００７３】
選択肢として、いくつかの実施例では、前記複製データが前記複数のロジックチャネルによって搬送されるのは上位層シグナリングによって事前設定される。
【００７４】
つまり、どのロジックチャネルによって複製データを伝送するかを上位層シグナリングによって事前設定することができ、これらのロジックチャネルにデータ伝送がある場合、これらのロジックチャネルに伝送されるデータは複製データであると見なすことができ、選択肢として、前記上位層シグナリングはＲＲＣシグナリングである。
【００７５】
以下、具体的な例を参照して、本願の実施例のデータ伝送方法を説明し、図３に示すように、ＰＤＣＰ層のＰＤＣＰスプリットベアラ複製機能モジュールはＰＤＣＰ  ＳＤＵ１を２つのＰＤＣＰ  ＰＤＵ１に複製することができ、前記２つのＰＤＣＰ  ＰＤＵ１は同じペイロード及びヘッダを含み、ＲＬＣ層において、前記２つのＰＤＣＰ  ＰＤＵ１をそれぞれＲＬＣロジックチャネル１及びＲＬＣロジックチャネル２にマッピングし、可能な一実現方式では、各ロジックチャネルのＬｏｇｉｃａｌＣｈａｎｎｅｌＣｏｎｆｉｇのＲＲＣ情報ユニット（ｉｎｆｏｒｍａｔｉｏｎ  ｅｌｅｍｅｎｔ）に指示情報が含まれ、前記指示情報はキャリアＩＤを指示し、例えば、前記ＲＬＣロジックチャネル１に対応する指示情報はキャリア１に対応するキャリアＩＤ１を指示し、キャリア１はＭＡＣ層のＨＡＲＱエンティティ１に対応し、前記ＲＬＣロジックチャネル２に対応する指示情報はキャリア２に対応するキャリアＩＤ２を指示し、キャリア２はＭＡＣ層のＨＡＲＱエンティティ２に対応する。それにより、データ伝送装置は、この２つのＰＤＣＰ  ＰＤＵ１をキャリア１及びキャリア２にスケジューリングして伝送することができる。また例えば、前記ＲＬＣロジックチャネル１に対応する指示情報は、それぞれキャリア１、キャリア２及びキャリア３に対応するキャリアＩＤ１、キャリアＩＤ２及びキャリアＩＤ３を指示し、前記ＲＬＣロジックチャネル２に対応する指示情報は、キャリア４、キャリア５及びキャリア６に対応するキャリアＩＤ４、キャリアＩＤ５及びキャリアＩＤ６を指示し、それにより、データ伝送装置は、キャリア１、キャリア２及びキャリア３から、ＲＬＣロジックチャネル１におけるＰＤＣＰ  ＰＤＵ１を伝送するキャリアを選択することができ、即ち、キャリア１、キャリア２及びキャリア３のうちの少なくとも１つのキャリアで、前記ＲＬＣロジックチャネル１におけるＰＤＣＰ  ＰＤＵ１を伝送し、同様に、キャリア４、キャリア５及びキャリア６から、ＲＬＣロジックチャネル２におけるＰＤＣＰ  ＰＤＵ１を伝送するキャリアを選択し、即ち、キャリア４、キャリア５及びキャリア６のうちの少なくとも１つのキャリアで、前記ＲＬＣロジックチャネル２におけるＰＤＣＰ  ＰＤＵ１を伝送する。
【００７６】
選択肢として、他の可能な実現方式では、各ロジックチャネルの指示情報はロジックチャネルのＩＤを指示し、図３のＲＬＣロジックチャネル１の指示情報はＬＣ２を指示することができ、ＲＣＬロジックチャネル２について、ＲＬＣロジックチャネル２の指示情報はＬＣ１を指示することができ、ＲＣＬロジックチャネル１について、即ち、ＲＬＣロジックチャネル１及びＲＬＣロジックチャネル２は複製データを伝送するためのものであり、それにより、データ伝送装置はＲＬＣロジックチャネル１及びＲＣＬロジックチャネル２で搬送される複製データを異なるキャリアにスケジューリングして伝送することができ、例えば、ＲＬＣロジックチャネル１及びＲＣＬロジックチャネル２で搬送される複製データをそれぞれキャリア１及びキャリア２にスケジューリングして伝送することができる。
【００７７】
以上、図２及び図３を参照して、本願の方法実施例を詳細に説明したが、以下、図４及び図５を参照して、本願の装置実施例を詳細に説明し、理解すべきなのは、装置実施例は方法実施例に対応し、類似な説明は方法実施例を参照することができる。
【００７８】
図４は本願の実施例に係るデータ伝送装置４００の概略ブロック図である。図４に示すように、該端末装置４００は、決定モジュール４１０及び通信モジュール４２０を備える。
【００７９】
決定モジュール４１０は、複製データを搬送するための複数のロジックチャネルに基づいて、前記複製データを伝送するための複数のキャリア又はキャリアグループを決定することに用いられ、前記複数のロジックチャネルのうちの少なくとも２つのロジックチャネルに対応する、前記複製データを伝送するためのキャリア又はキャリアグループは異なる。
【００８０】
通信モジュール４２０は、前記複数のキャリア又はキャリアグループを利用して、前記複数のロジックチャネルで搬送される前記複製データをそれぞれ伝送することに用いられる。
【００８１】
選択肢として、いくつかの実施例では、前記決定モジュール４１０は、具体的には、
前記複数のロジックチャネルのうちの各ロジックチャネルに対応する指示情報に基づいて、前記複数のキャリア又はキャリアグループを決定することに用いられる。
【００８２】
選択肢として、いくつかの実施例では、前記各ロジックチャネルに対応する指示情報が、前記各ロジックチャネルに対応するロジックチャネル設定情報の指示フィールドに含まれる。
【００８３】
選択肢として、いくつかの実施例では、前記各ロジックチャネルに対応するロジックチャネル設定情報は前記各ロジックチャネルの無線リソース制御ＲＲＣ情報ユニットであり、前記各ロジックチャネルのＲＲＣ情報ユニットは前記各ロジックチャネルのチャネルパラメータを設定することに用いられる。
【００８４】
選択肢として、いくつかの実施例では、前記指示情報は、前記複数のロジックチャネルのうちの第１ロジックチャネルに対応する第１指示情報を含み、前記決定モジュール４１０は、具体的には、
前記第１指示情報により指示される１つのキャリアのキャリアＩＤに対応する第１キャリア又は１グループのキャリアのキャリアＩＤに対応する第１キャリアグループを、前記第１ロジックチャネルで搬送される前記複製データを伝送するキャリア又はキャリアグループとして決定することに用いられる。
【００８５】
前記通信モジュール４２０は、具体的には、
前記第１キャリア、又は前記第１キャリアグループのうちの一部又は全部キャリアを利用して、前記第１ロジックチャネルで搬送される前記複製データを伝送することに用いられる。
【００８６】
選択肢として、いくつかの実施例では、前記指示情報は、前記複数のロジックチャネルのうちの第２ロジックチャネルに対応する第２指示情報を含み、前記第２指示情報は、前記複数のロジックチャネルのうち前記第２ロジックチャネル以外の他のロジックチャネルの識別子情報であり、前記決定モジュール４１０は、具体的には、
前記第２指示情報に基づいて、前記第２ロジックチャネル及び前記他のロジックチャネルで搬送される前記複製データがそれぞれ異なるキャリア又はキャリアグループに対応することを決定することに用いられる。
【００８７】
前記通信モジュール４２０は、具体的には、
前記異なるキャリア又はキャリアグループを利用して、前記第２ロジックチャネル及び前記他のロジックチャネルで搬送される前記複製データをそれぞれ伝送することに用いられる。
【００８８】
選択肢として、いくつかの実施例では、前記指示情報は、前記複数のロジックチャネルのうちの第３ロジックチャネルに対応する第３指示情報を含み、前記第３指示情報は、前記第３ロジックチャネルで前記複製データが搬送されるか否かを指示することに用いられ、前記決定モジュール４１０は、具体的には、
前記第３指示情報が、前記複製データが搬送されると指示し、且つ第４ロジックチャネルに対応する第４指示情報が、前記複製データが搬送されると指示する場合、前記第３ロジックチャネル及び前記第４ロジックチャネルで搬送される前記複製データがそれぞれ異なるキャリア又はキャリアグループに対応すると決定することに用いられる。
【００８９】
前記通信モジュールは、具体的には、
前記異なるキャリア又はキャリアグループを利用して、前記第３ロジックチャネル及び前記第４ロジックチャネルで搬送される前記複製データをそれぞれ伝送することに用いられる。
【００９０】
選択肢として、いくつかの実施例では、前記決定モジュール４１０は、具体的には、
前記各ロジックチャネルのロジックチャネル設定情報に、前記指示情報を含む指示フィールドが存在することを決定することに用いられる。
【００９１】
選択肢として、いくつかの実施例では、前記決定モジュール４１０は、具体的には、
前記複数のロジックチャネル、及び第１対応関係に基づいて、複数のメディアアクセス制御ＭＡＣエンティティを決定し、前記第１対応関係はロジックチャネルとＭＡＣエンティティとの対応関係であり、前記複数のロジックチャネルと前記複数のＭＡＣエンティティとは一対一に対応することと、
前記複数のＭＡＣエンティティ、及び第２対応関係に基づいて、前記複数のキャリア又はキャリアグループを決定し、前記第２対応関係はＭＡＣエンティティとキャリア又はキャリアグループとの対応関係であり、前記複数のＭＡＣエンティティと前記複数のキャリア又はキャリアグループとは一対一に対応することとに用いられる。
【００９２】
選択肢として、いくつかの実施例では、前記第１対応関係は上位層シグナリングによって事前設定される。
【００９３】
選択肢として、いくつかの実施例では、前記複製データは、パケットデータコンバージェンスプロトコルＰＤＣＰスプリットベアラによる同一のＰＤＣＰプロトコルデータユニットＰＤＵの複製データである。
【００９４】
選択肢として、いくつかの実施例では、前記複製データが前記複数のロジックチャネルによって搬送されるのは上位層シグナリングによって事前設定される。
【００９５】
選択肢として、いくつかの実施例では、前記上位層シグナリングは無線リソース制御ＲＲＣシグナリングである。
【００９６】
具体的には、該端末装置４００は本願の実施例に係るデータ伝送方法２００におけるデータ伝送装置に対応し、該装置４００は、図２の方法２００のデータ伝送装置が実行する方法を実行するためのエンティティユニットを備える。且つ、該装置４００の各エンティティユニット及び上記他の操作及び／又は機能はそれぞれ図２の方法２００の対応するプロセスを実現するためのものであり、簡潔にするために、ここで繰り返し説明しない。
【００９７】
図５は本願の実施例に係る端末装置の概略ブロック図である。図５の端末装置５００は、メモリ５１０、送受信機５２０及びプロセッサ５３０を備え、前記メモリ５１０はプログラムを記憶することに用いられ、前記プロセッサ５３０はプログラムを実行することに用いられ、前記プログラムが実行されるとき、前記プロセッサ５３０は前記送受信機５２０によって信号を送受信し、前述方法実施例における操作を完了する。
【００９８】
具体的には、プロセッサ５３０は、複製データを搬送するための複数のロジックチャネルに基づいて、前記複製データを伝送するための複数のキャリア又はキャリアグループを決定することに用いられ、前記複数のロジックチャネルのうちの少なくとも２つのロジックチャネルに対応する、前記複製データを伝送するためのキャリア又はキャリアグループは異なる。
【００９９】
送受信機５２０は、前記複数のキャリア又はキャリアグループを利用して、前記複数のロジックチャネルで搬送される前記複製データをそれぞれ伝送することに用いられる。
【０１００】
選択肢として、いくつかの実施例では、前記プロセッサ５３０は、具体的には、
前記複数のロジックチャネルのうちの各ロジックチャネルに対応する指示情報に基づいて、前記複数のキャリア又はキャリアグループを決定することに用いられる。
【０１０１】
選択肢として、いくつかの実施例では、前記各ロジックチャネルに対応する指示情報が、前記各ロジックチャネルに対応するロジックチャネル設定情報の指示フィールドに含まれる。
【０１０２】
選択肢として、いくつかの実施例では、前記各ロジックチャネルに対応するロジックチャネル設定情報は前記各ロジックチャネルの無線リソース制御ＲＲＣ情報ユニットであり、前記各ロジックチャネルのＲＲＣ情報ユニットは前記各ロジックチャネルのチャネルパラメータを設定することに用いられる。
【０１０３】
選択肢として、いくつかの実施例では、前記指示情報は、前記複数のロジックチャネルのうちの第１ロジックチャネルに対応する第１指示情報を含み、前記プロセッサ５３０は、具体的には、
前記第１指示情報により指示される１つのキャリアのキャリアＩＤに対応する第１キャリア又は１グループのキャリアのキャリアＩＤに対応する第１キャリアグループを、前記第１ロジックチャネルで搬送される前記複製データを伝送するキャリア又はキャリアグループとして決定することに用いられる。
【０１０４】
前記送受信機５２０は、具体的には、
前記第１キャリア、又は前記第１キャリアグループのうちの一部又は全部キャリアを利用して、前記第１ロジックチャネルで搬送される前記複製データを伝送することに用いられる。
【０１０５】
選択肢として、いくつかの実施例では、前記指示情報は、前記複数のロジックチャネルのうちの第２ロジックチャネルに対応する第２指示情報を含み、前記第２指示情報は、前記複数のロジックチャネルのうち前記第２ロジックチャネル以外の他のロジックチャネルの識別子情報であり、前記プロセッサ５３０は、具体的には、
前記第２指示情報に基づいて、前記第２ロジックチャネル及び前記他のロジックチャネルで搬送される前記複製データがそれぞれ異なるキャリア又はキャリアグループに対応することを決定することに用いられる。
【０１０６】
前記送受信機５２０は、具体的には、
前記異なるキャリア又はキャリアグループを利用して、前記第２ロジックチャネル及び前記他のロジックチャネルで搬送される前記複製データをそれぞれ伝送することに用いられる。
【０１０７】
選択肢として、いくつかの実施例では、前記指示情報は、前記複数のロジックチャネルのうちの第３ロジックチャネルに対応する第３指示情報を含み、前記第３指示情報は、前記第３ロジックチャネルで前記複製データが搬送されるか否かを指示することに用いられ、前記プロセッサ５３０は、具体的には、
前記第３指示情報が、前記複製データが搬送されると指示し、且つ第４ロジックチャネルに対応する第４指示情報が、前記複製データが搬送されると指示する場合、前記第３ロジックチャネル及び前記第４ロジックチャネルで搬送される前記複製データがそれぞれ異なるキャリア又はキャリアグループに対応すると決定することに用いられる。
【０１０８】
前記送受信機は、具体的には、
前記異なるキャリア又はキャリアグループを利用して、前記第３ロジックチャネル及び前記第４ロジックチャネルで搬送される前記複製データをそれぞれ伝送することに用いられる。
【０１０９】
選択肢として、いくつかの実施例では、前記プロセッサ５３０は、具体的には、
前記各ロジックチャネルのロジックチャネル設定情報に、前記指示情報を含む指示フィールドが存在することを決定することに用いられる。
【０１１０】
選択肢として、いくつかの実施例では、前記プロセッサ５３０は、具体的には、
前記複数のロジックチャネル、及び第１対応関係に基づいて、複数のメディアアクセス制御ＭＡＣエンティティを決定し、前記第１対応関係はロジックチャネルとＭＡＣエンティティとの対応関係であり、前記複数のロジックチャネルと前記複数のＭＡＣエンティティとは一対一に対応することと、
前記複数のＭＡＣエンティティ、及び第２対応関係に基づいて、前記複数のキャリア又はキャリアグループを決定し、前記第２対応関係はＭＡＣエンティティとキャリア又はキャリアグループとの対応関係であり、前記複数のＭＡＣエンティティと前記複数のキャリア又はキャリアグループとは一対一に対応することとに用いられる。
【０１１１】
選択肢として、いくつかの実施例では、前記第１対応関係は上位層シグナリングによって事前設定される。
【０１１２】
選択肢として、いくつかの実施例では、前記複製データは、パケットデータコンバージェンスプロトコルＰＤＣＰスプリットベアラによる同一のＰＤＣＰプロトコルデータユニットＰＤＵの複製データである。
【０１１３】
選択肢として、いくつかの実施例では、前記複製データが前記複数のロジックチャネルによって搬送されるのは上位層シグナリングによって事前設定される。
【０１１４】
選択肢として、いくつかの実施例では、前記上位層シグナリングは無線リソース制御ＲＲＣシグナリングである。
【０１１５】
理解すべきなのは、本願の実施例では、該プロセッサ５３０は中央処理装置（Ｃｅｎｔｒａｌ  Ｐｒｏｃｅｓｓｉｎｇ  Ｕｎｉｔ、「ＣＰＵ」と略称）であってもよく、該プロセッサ５３０は他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、離散ゲート又はトランジスタロジックデバイス、個別ハードウェア部品等であってもよい。汎用プロセッサはマイクロプロセッサであってもよく、又は該プロセッサはいずれかの通常のプロセッサ等であってもよい。
【０１１６】
該メモリ５１０は、読み出し専用メモリ及びランダムアクセスメモリを備えてもよく、プロセッサ５３０に命令及びデータを提供する。メモリ５１０の一部は、不揮発性ランダムアクセスメモリを備えてもよい。例えば、メモリ５１０は装置タイプの情報を記憶することができる。
【０１１７】
実現する過程で、上記方法の各ステップはプロセッサ５３０内のハードウェアの集積論理回路又はソフトウェア形態の命令によって完了することができる。本願の実施例に開示される方法のステップは、ハードウェアプロセッサによって直接実行されてもよく、又はプロセッサ内のハードウェア及びソフトウェアモジュールの組み合わせによって実行されてもよい。ソフトウェアモジュールは、ランダムメモリ、フラッシュメモリ、読み出し専用メモリ、プログラマブル読み出し専用メモリ又は電気的消去可能プログラマブルメモリ、レジスタ等の本分野の成熟した記憶媒体にあってもよい。該記憶媒体はメモリにあり、プロセッサ５３０はメモリ内の情報を読み取り、そのハードウェアと組み合わせて上記方法のステップを完了する。重複を回避するために、ここで詳細に説明しない。
【０１１８】
１つの具体的な実現方式では、図４の決定モジュール４１０は図５のプロセッサ５３０によって実現することができ、図４の通信モジュール４２０は図５の送受信機５２０によって実現することができる。
【０１１９】
当業者であれば、本明細書に開示される実施例に説明された各例示的ユニット及びアルゴリズムステップは、電子ハードウェア、又はコンピュータソフトウェアと電子ハードウェアとの組み合わせで実現できることを理解できる。これらの機能がハードウェアそれともソフトウェア形態で実行されるかは、技術案の特定応用及び設計制約条件に決められる。当業者は各特定の応用に対して異なる方法で説明された機能を実現することができ、この実現は本願の範囲を超えると見なされるべきではない。
【０１２０】
当業者は、説明の便宜及び簡潔さのために、上記説明されたシステム、装置及びユニットの具体的な作動過程が、前述の方法実施例における対応する過程を参照することができ、ここで繰り返し説明しないことを明確に理解できる。
【０１２１】
本願のいくつかの実施例では、開示されたシステム、装置及び方法は、他の方式で実現できることを理解されるべきである。例えば、上記説明された装置実施例は例示的なものに過ぎず、例えば、前記ユニットの分割は、ロジック機能の分割だけであり、実際に実現する時に別の分割方法を有することができ、例えば、複数のユニット又はアセンブリを組み合わせてもよく、又は別のシステムに集積してもよく、又は一部の特徴を無視してもよく、又は実行しなくてもよい。また、表示又は検討される相互結合又は直接結合又は通信接続は、あるインタフェース、装置又はユニットを介した間接結合又は通信接続であってもよく、電気的、機械的又は他の形態のものであってもよい。
【０１２２】
前記分離部材として説明されるユニットは、物理的に分離されてもよく、物理的に分離されなくてもよく、ユニットとして示される部材は、物理ユニットであってもよく、物理ユニットでなくてもよく、即ち、１つの場所に位置してもよく、又は複数のネットワークユニットに分布してもよい。実際の需要に応じてそのうちの一部又は全部ユニットを選択して本実施例の技術案の目的を実現することができる。
【０１２３】
また、本願の各実施例における各機能ユニットは１つの処理ユニットに集積されてもよく、各ユニットは単独で物理的に存在してもよく、２つ又は２つ以上のユニットは１つのユニットに集積されてもよい。
【０１２４】
前記機能は、ソフトウェア機能ユニットの形態で実現され、独立した製品として販売又は使用される場合、コンピュータ可読記憶媒体に記憶されることができる。このような理解に基づき、本願の技術案は、本質又は従来技術に貢献する部分、又は当該技術案の一部は、ソフトウェア製品の形態で具現されてもよく、当該コンピュータソフトウェア製品は１つの記憶媒体に記憶され、コンピュータ装置（パーソナルコンピュータ、サーバ、又はネットワーク装置等であってもよい）に本願の各実施例に記載の方法の全部又は一部のステップを実行させるための複数の命令を含む。前述の記憶媒体は、Ｕディスク、モバイルディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプロクラムコードを記憶できる様々な媒体を含む。
【０１２５】
以上は、本願の具体的な実施形態に過ぎず、本願の保護範囲を制限するためのものではなく、当業者は本願に開示された技術範囲内に、容易に想到できる変化や置換は本願の保護範囲内に含まれる。従って、本願の保護範囲は特許請求の範囲の保護範囲を根拠とすべきである。
【図１】
0006926219.tif 000002
【図２】
0006926219.tif 000003
【図３】
0006926219.tif 000004
【図４】
0006926219.tif 000005
【図５】
0006926219.tif 000006